(57)【要約】【課題】常用点灯回路と別回路で非常用点灯回路を有し、また停電時の消費電力を最小限に抑えることができる点灯装置を提供する。【解決手段】常用時に商用交流電源２ａにより常用ランプ２ｂを点灯させる常用点灯回路２と、前記商用交流電源２ａの停電及び停電時からの復旧を検出する検出回路４と、停電時にバッテリー３ｂにより非常用ランプ５ｅを点灯させると共に、復旧時に非常用ランプ５ｅを消灯させる非常用点灯回路５と、常用時に前記商用交流電源２ａにより前記バッテリー３ｂを充電するバッテリー充電回路３とを備えた点灯装置。【選択図】 図１
0003159820.tif 000002
【実用新案登録請求の範囲】
【請求項１】
常用時に商用交流電源により常用ランプを点灯させる常用点灯回路と、
前記商用交流電源の停電及び停電からの復旧を検出する検出回路と、
停電時にバッテリーにより非常用ランプを点灯させると共に、復旧時に非常用ランプを消灯させる非常用点灯回路と、
常用時に前記商用交流電源により前記バッテリーを充電するバッテリー充電回路とを備えた
ことを特徴とする点灯装置。
【請求項２】
請求項１に記載の点灯装置において、
前記検出回路は、常用時は電磁コイルによる電磁石作用で停電時接点を開とし、前記商用交流電源の停電時はバネの復元力により前記停電時接点を閉とする電磁型パワーリレーを備えた
ことを特徴とする点灯装置。
【請求項３】
請求項１に記載の点灯装置において、
前記非常用点灯回路は、強制停止スイッチと、該強制停止スイッチが作動したときのみに点灯する強制停止ランプとを備えた
ことを特徴とする点灯装置。
【請求項４】
請求項１に記載の点灯装置において、
前記常用点灯回路は、テストスイッチを備えており、前記非常用点灯回路は、該テストスイッチが作動したときに点灯する停電時表示ランプを備えた
ことを特徴とする点灯装置。
【請求項５】
請求項１に記載の点灯装置において、
前記バッテリー充電回路は、プログラムタイマーを備えた
ことを特徴とする点灯装置。
【考案の詳細な説明】
【技術分野】
【０００１】
本考案は、常用時に常用ランプを点灯させる常用点灯回路と、停電時に非常用ランプを点灯させる非常用点灯回路とを備えた点灯装置に関する。
【背景技術】
【０００２】
この種の点灯装置として、例えば、特許文献１には、１つの点灯回路に、商用電源と、該商用電源により充電される蓄電電源とを備え、常用時は前記商用電源で常用ランプを点灯させ、前記商用電源の遮断が検出されたときは前記商用電源から前記蓄電電源へ切り換えて前記常用ランプを非常灯として点灯させるようにしたものが開示されている。
【先行技術文献】
【特許文献】
【０００３】
【特許文献１】特開２００２−３５９０８９号公報
【考案の概要】
【考案が解決しようとする課題】
【０００４】
ところで、前記従来の点灯装置では、１つの点灯回路に商用電源と蓄電電源とを有しているので、外的要因で前記点灯回路に切断等の異常が起きると、前記蓄電電源に切り換えてもランプが点灯しないという問題がある。
【０００５】
また、前記ランプが常用と非常用とを兼ねているので、停電時に前記蓄電電源に切り換わった非常時においても常用時と消費電力が変わらず、前記蓄電電源の放電時間が短くなるという問題がある。
【０００６】
本考案は、上記従来の状況に鑑みてなされたもので、常用点灯回路に切断等の異常が生じた場合にもランプを点灯させることができ、また停電時の消費電力を最小限に抑えることができる点灯装置を提供することを課題としている。
【課題を解決するための手段】
【０００７】
請求項１の考案は、常用時に商用交流電源により常用ランプを点灯させる常用点灯回路と、前記商用交流電源の停電及び停電からの復旧を検出する検出回路と、停電時にバッテリーにより非常用ランプを点灯させると共に、復旧時に非常用ランプを消灯させる非常用点灯回路と、常用時に前記商用交流電源により前記バッテリーを充電するバッテリー充電回路とを備えたことを特徴としている。
【０００８】
請求項２の考案は、請求項１に記載の点灯装置において、前記検出回路は、常用時は電磁コイルによる電磁石作用で停電時接点を開とし、前記商用交流電源の停電時はバネの復元力により前記停電時接点を閉とする電磁型パワーリレーを備えたことを特徴としている。
【０００９】
請求項３の考案は、請求項１に記載の点灯装置において、前記非常用点灯回路は、強制停止スイッチと、該強制停止スイッチが作動したときのみに点灯する強制停止ランプとを備えたことを特徴としている。
【００１０】
請求項４の考案は、請求項１に記載の点灯装置において、前記常用点灯回路は、テストスイッチを備えており、前記非常用点灯回路は、該テストスイッチが作動したときに点灯する停電時表示ランプを備えたことを特徴としている。
【００１１】
請求項５の考案は、請求項１に記載の点灯装置において、前記バッテリー充電回路は、プログラムタイマーを備えたことを特徴としている。
【考案の効果】
【００１２】
請求項１の考案によれば、常用時に使用する常用点灯回路とは別回路で停電時に使用する非常用点灯回路を備えたので、常用点灯回路の遮断等の異常時においても、常用ランプから非常用ランプへの切り換えが確実にできる。
【００１３】
また、常用ランプとは別に非常用ランプを備えたので、この非常用ランプにＬＥＤランプを使用することができ、汎用ランプより省電力で非常用ランプを点灯することができ、バッテリーの放電時間を長くすることができる。
【００１４】
請求項２の考案によれば、検出回路に電磁型パワーリレーを備えたので、簡易な構造で商用交流電源の遮断の検出及び停電からの復旧を確実に検出することができる。また、待機時は微電力で動作し、かつ停電時には接点に流れる電流が少ないので、接点の溶着を防止できる。
【００１５】
請求項３の考案によれば、前記非常用点灯回路に強制停止スイッチを備えたので、長時間に及ぶ停電のとき非常用ランプの点灯が不要と判断した場合、前記強制停止スイッチを作動させることにより非常用ランプを消灯させることができ、バッテリーの消耗を抑えることができる。
【００１６】
また、前記強制停止スイッチが作動したときのみに点灯する強制停止ランプを備えたので、該強制停止スイッチが作動していることを容易に認識でき、前記強制停止スイッチの切り忘れを防止することができる。
【００１７】
請求項４の考案によれば、前記常用点灯回路にテストスイッチを備えたので、該テストスイッチを作動させるとこにより前記非常用点灯回路が正常に機能することを確認することができる。
【００１８】
また、前記非常用点灯回路に前記テストスイッチが作動したときに点灯する停電時表示ランプを備えたので、前記テストスイッチが作動していることを容易に認識でき、前記テストスイッチの切り忘れを防止することができる。
【００１９】
請求項５の考案によれば、前記バッテリー充電回路にプログラムタイマーを備えたので、バッテリーの充電が毎日一定時間行われるため常に適正な電圧を維持することができ、またバッテリーの充電が常時行われる場合に比べ、バッテリーの寿命を延長することができる。
【図面の簡単な説明】
【００２０】
【図１】本考案の実施例１に係る点灯装置の全体回路図である。
【図２】常用時の検出回路と非常用点灯回路とを示す回路図である。
【図３】停電時の検出回路と非常用点灯回路とを示す回路図である。
【図４】停電時における強制停止スイッチを作動させた状態の検出回路と非常用点灯回路とを示す回路図である。
【図５】常用時におけるテストスイッチを作動させた状態の検出回路と非常用点灯回路とを示す回路図である。
【図６】バッテリー充電中のバッテリー充電回路を示す回路図である。
【考案を実施するための形態】
【００２１】
以下、本考案の実施の形態を添付図面に基づいて説明する。
【実施例１】
【００２２】
図１ないし図６は、本考案の実施例１による点灯装置を説明するための図である。
【００２３】
図において、１は点灯装置を示しており、この点灯装置１は、常用点灯回路２，バッテリー充電回路３，検出回路４及び非常用点灯回路５を有する。
【００２４】
前記常用点灯回路２は、交流１００Ｖの商用交流電源２ａ，常用ランプ２ｂ，１Ａのヒューズ２ｃ及びテストスイッチ２ｄで構成されている。前記テストスイッチ２ｄは、例えば、ナイフスイッチ等の手動スイッチである。
【００２５】
前記バッテリー充電回路３は、図６に示すように、商用交流電源２ａ，プログラムタイマー６，充電器７及び直流１２Ｖのバッテリー３ｂで構成されている。前記プログラムタイマー６は、目盛盤６ａ，指針６ｂ，開始，終了時限端子６ｃ，６ｄ及び内蔵スイッチ６ｅを有する。前記充電器７は、変圧器７ａ及び整流器７ｂを有する。
【００２６】
前記検出回路４は、図２に示すように、交流１００Ｖの商用交流電源２ａ及び電磁型パワーリレー８で構成されている。この電磁型パワーリレー８は、前記電磁コイル８ａ，常用時接点８ｂ，停電時接点８ｃ，可動接点８ｄ，鉄心８ｅ及び前記可動接点８ｄを前記停電時接点８ｃ側に付勢するばね（不図示）を有する。前記鉄心８ｅは前記可動接点８ｄの略中央部に位置しており、前記可動接点８ｄと前記鉄心８ｅとは連結されている。
【００２７】
前記非常用点灯回路５は、前記バッテリー３ｂ，３０Ａのヒューズ５ａ，インバータ装置９，ファンモータ５ｂ，強制停止スイッチ１０，強制停止ランプ５ｃ，停電時接点８ｃ，可動接点８ｄ，停電時表示ランプ５ｄ及び非常用ランプ５ｅで構成されている。この非常用ランプ５ｅは、例えば、ＬＥＤランプである。前記インバータ装置９は、電源部９ａ，ＯＮ−ＯＦＦ切換部９ｂ及び変換器９ｃを有する。前記強制停止スイッチ１０は、例えば、ナイフスイッチ等の手動スイッチであり、連動する第１スイッチ１０ａ，第２スイッチ１０ｂ及び第３スイッチ１０ｃを有する。
【００２８】
次に、図１，図２に沿って常用時における前記常用点灯回路２と前記検出回路４との動作を説明する。
【００２９】
前記常用ランプ２ｂは、前記商用交流電源２ａから供給される電流により点灯する。また、この電流は前記電磁型パワーリレー８の電磁コイル８ａを励磁させ電磁力を発生させており、この電磁力の作用によって前記鉄心８ｅは前記ばね（不図示）のばね力に抗して前記電磁コイル８ａに吸引され、前記鉄心８ｅと連動する前記可動接点８ｄは、前記常用時接点８ｂに当接している。
【００３０】
次に、図１，図３に沿って前記商用交流電源２ａが遮断され停電になったときの前記常用点灯回路２と、前記検出回路４と、前記非常用点灯回路５との動作を説明する。
【００３１】
停電になった場合、前記商用交流電源２ａが遮断するため、前記常用ランプ２ｂは消灯し、前記電磁コイル８ａから発生する電磁力も消滅する。このため、前記ばね（不図示）の付勢力によって前記可動接点８ｄは、前記常用時接点８ｂを離脱し前記停電時接点８ｃに当接する。このとき、前記インバータ装置９のＯＮ−ＯＦＦ切換部９ｂがＯＮとなり前記インバータ装置９の変換器９ｃが作動する。この変換器９ｃでは、前記バッテリー３ｂから供給される前記電源部９ａの直流１２Ｖの電源を交流１００Ｖの電源に変換しており、この変換された交流１００Ｖの電源によって前記停電時表示ランプ５ｄ及び前記非常用ランプ５ｅを点灯させる。また前記可動接点８ｄが前記停電時接点８ｃに当接したとき、前記ファンモータ５ｂは、前記バッテリー３ｂの電源によって駆動し、前記インバータ装置９を冷却する。
【００３２】
次に、図１，図２に沿って停電時から常用時へ復旧したときの前記常用点灯回路２と、前記検出回路４と、前記非常用点灯回路５との動作を説明する。
【００３３】
前記商用交流電源２ａが停電から復旧した場合、前記常用ランプ２ｂは、前記商用交流電源２ａから供給される電流により点灯する。また、この電流は前記電磁型パワーリレー８の電磁コイル８ａを励磁させ電磁力を発生させており、この電磁力の作用によって前記鉄心８ｅは前記電磁コイル８ａに吸引される。従って、前記鉄心８ｅと連動する前記可動接点８ｄは、前記停電時接点８ｃを離脱し前記常用時接点８ｂに当接する。このとき、前記インバータ装置９のＯＮ−ＯＦＦ切換部９ｂがＯＦＦとなるため前記変換器９ｃの作動は停止し、前記停電時表示ランプ５ｄ及び前記非常用ランプ５ｅは消灯する。また前記ファンモータ５ｂも停止する。
【００３４】
次に、図４に沿って前記強制停止スイッチ１０を投入した場合及び該強制停止スイッチ１０を切った場合の動作を説明する。
【００３５】
長時間に及ぶ停電時において非常用ランプの点灯が不要と判断した場合等に、前記強制停止スイッチ１０を投入すると、前記第１スイッチ１０ａ及び前記第２スイッチ１０ｂの接点は開くため、前記ファンモータ５ｂは停止し、前記インバータ装置９のＯＮ−ＯＦＦ切換部９ｂがＯＦＦとなり前記変換器９ｃの作動は停止し、前記停電時表示ランプ５ｄ及び前記非常用ランプ５ｅは消灯する。そして、前記第３スイッチ１０ｃの接点は閉じるため、前記強制停止ランプ５ｃは、前記バッテリー３ｂの電源により点灯する。
【００３６】
図３に示すように、停電中に前記強制停止スイッチ１０を切ると、前記第１スイッチ１０ａ及び前記第２スイッチ１０ｂの接点は閉じ、前記第３スイッチ１０ｃの接点は開くことにより、前記強制停止ランプ５ｃは消灯し、前記非常用点灯回路５が点灯する状態に戻る。
【００３７】
また、図１，図２に示すように、停電から常用へ復旧した後に前記強制停止スイッチ１０を切ると、前記第１スイッチ１０ａ及び前記第２スイッチ１０ｂの接点は閉じ、前記第３スイッチ１０ｃの接点は開くことにより、前記強制停止ランプ５ｃは消灯し、前記常用点灯回路２の状態に戻る。
【００３８】
次に、図１，図２及び図５に沿って常用時おいて前記テストスイッチ２ｄをオフにした場合及び該テストスイッチ２ｄをオンにした場合の動作を説明する。
【００３９】
図５に示すように、前記テストスイッチ２ｄをオフすると、このテストスイッチ２ｄの接点が開くので、前記商用交流電源２ａが遮断した状態となり、前記電磁型パワーリレー８は停電時と同様に作動し、前記非常用点灯回路５が点灯する状態となる。
【００４０】
そして、図１，図２に示すように、前記テストスイッチ２ｄをオンにすると、このテストスイッチ２ｄの接点が閉じるので、前記商用交流電源２ａにより前記電磁型パワーリレー８は常用時と同様に作動するため、前記常用点灯回路２が点灯する状態となる。
【００４１】
次に、図１，図６に沿って前記商用交流電源２ａにより前記バッテリー３ｂを充電するときの前記バッテリー充電回路３の動作を説明する。
【００４２】
常用時において、前記プログラムタイマー６には、前記商用交流電源２ａが常時供給されており、前記指針６ｂを作動させている。この指針６ｂは前記目盛盤６ａの中心点Ｘを中心に時計回りに回転する。そして、前記指針６ｂが前記開始時限端子６ｃの位置に移動したとき、前記内蔵スイッチ６ｅの接点が閉じることにより、前記商用交流電源２ａは前記充電器７の前記変圧器７ａへ供給される。この変圧器７ａでは、前記商用交流電源２ａの交流１００Ｖの電圧を所定の電圧に降下させている。この降下した交流電圧を前記整流器７ｂによって直流電圧に変換し、前記バッテリー３ｂの充電が開始する。
【００４３】
一定時間経過後、前記指針６ｂが前記終了時限端子６ｄの位置に移動すると、前記内蔵スイッチ６ｅの接点が開くことにより、前記商用交流電源３ａが遮断した状態となるため前記バッテリー３ｂの充電が終了する。
【００４４】
本実施例１によれば、常用時に使用する常用点灯回路２とは別回路で停電時に使用する非常用点灯回路５を備えたので、常用点灯回路２の遮断等によって停電となった場合でも常用ランプ２ｂから非常用ランプ５ｅへの切り換えが確実にできる。
【００４５】
また、非常用ランプ５ｅにＬＥＤランプを使用することができるので、汎用ランプより省電力で前記非常用ランプ５ｅを点灯することができ、バッテリー３ｂの放電時間を長くすることができる。
【００４６】
また、検出回路４に電磁型パワーリレー８を備えたので、簡易な構造で前記商用交流電源２ａの停電の検出及び停電からの復旧を確実に検出することができる。また、待機時は微電力で動作し、かつ停電時には接点に流れる電流が少ないので、接点の溶着を防止できる。
【００４７】
また、非常用点灯回路５に強制停止スイッチ１０を備えたので、長時間に及ぶ停電のとき前記非常用ランプ５ｅの点灯が不要と判断した場合、前記強制停止スイッチ１０を作動させることにより前記非常用ランプ５ｅを消灯させることができ、前記バッテリー３ｂの消耗を抑えることができる。
【００４８】
また、前記強制停止スイッチ１０が作動したときのみに点灯する強制停止ランプ５ｃを備えたので、該強制停止スイッチ１０が作動していることを容易に認識でき、前記強制停止スイッチ１０の切り忘れを防止することができる。
【００４９】
また、前記常用点灯回路２にテストスイッチ２ｄを備えたので、該テストスイッチ２ｄを作動させるとこにより前記非常用点灯回路５が正常に機能することを確認することができる。
【００５０】
また、前記非常用点灯回路５に前記テストスイッチ２ｄが作動したときに点灯する停電時表示ランプ５ｄを備えたので、前記テストスイッチ２ｄが作動していることを容易に認識でき、前記テストスイッチ２ｄの切り忘れを防止することができる。
【００５１】
さらにまた、バッテリー充電回路３にプログラムタイマー６を備えたので、前記バッテリー３ｂの充電が毎日一定時間行われるため常に適正な電圧を維持することができ、また前記バッテリー３ｂの充電が常時行われる場合に比べ、前記バッテリー３ｂの寿命を延長することができる。
【符号の説明】
【００５２】
１．    点灯装置
２．    常用点灯回路
２ａ．  商用交流電源
２ｂ．  常用ランプ
２ｄ．  テストスイッチ
３．    バッテリー充電回路
３ｂ．  バッテリー
４．    検出回路
５．    非常用点灯回路
５ｃ．  強制停止ランプ
５ｄ．  停電時表示ランプ
５ｅ．  非常用ランプ
６．    プログラムタイマー
８．    電磁型パワーリレー
８ｃ．  停電時接点
８ａ．  電磁コイル
１０．  強制停止スイッチ
【図１】
0003159820.tif 000003
【図２】
0003159820.tif 000004
【図３】
0003159820.tif 000005
【図４】
0003159820.tif 000006
【図５】
0003159820.tif 000007
【図６】
0003159820.tif 000008